(57)【要約】通信ネットワーク（２０）であって、ネットワークのアクセス・ノードと交換機との間の非専用回線接続を提供する。交換機プール（２４）は、交換機が通信ネットワークのサービス領域のあちこちに置かれたアクセス・ノードと通信することを可能にする。本発明はまた、複数のゲートウェイ（２８（ａ）、２８（ｂ））を有する通信ネットワーク（２０）におけるアクセス・ノード（１２ａ．．．ｎ）と交換機（１４ａ．．．ｎ）との間の非専用回線経路を提供する方法も提供する。メディア・ゲートウェイ選択ノード（２２）は、回線接続機構を提供し、データを記憶しアクセスする手段として、そして、メディア・ゲートウェイ（２８（ａ）、２８（ｂ））、アクセス・ノード（１２（ａ．．．ｎ））および交換機（１４（ａ．．．ｎ））間の関係を定義する手段として、ゲートウェイ選択データベース（２６）を使用する。
2004529598.tif 000002
【特許請求の範囲】
【請求項１】
通信ネットワークであって、前記ネットワークにおけるアクセス・ノードと交換機との間の非専用回線経路を提供し、
前記通信ネットワークのサービス領域のあちこちに置かれた複数のアクセス・ノードと、
複数のユーザ端末による前記通信ネットワークのサービスへのアクセスを提供するために、前記アクセス・ノードと通信するよう適合された交換機プールと、
前記アクセス・ノードと前記交換機プールとの間の複数の回線経路を通る１つあるいは複数の接続を提供する少なくとも２つのゲートウェイと、
前記ゲートウェイおよび前記交換機プールに動作可能に結合するゲートウェイ選択ノード、を含み、
前記ゲートウェイ選択ノードは、前記交換機プールの交換機と前記アクセス・ノードとの間での使用に必要とされるのに応じて、回線経路を予約し開放するよう構成されている、前記通信ネットワーク。
【請求項２】
請求項１に記載のネットワークにおいて、上記交換機は移動交換センタ（ＭＳＣＳ）を含むことを特徴とする、上記ネットワーク。
【請求項３】
請求項１に記載のネットワークにおいて、上記アクセス・ノードは基地局制御装置（ＢＳＣＳ）を含むことを特徴とする、上記ネットワーク。
【請求項４】
請求項１に記載のネットワークにおいて、上記アクセス・ノードは無線ネットワーク・サーバ（ＲＮＳ）を含むことを特徴とする、上記ネットワーク。
【請求項５】
請求項１に記載のネットワークにおいて、上記ゲートウェイ選択ノードはさらに、ゲートウェイ、アクセス・ノード、および上記回線経路と関連する識別コード間の関係を定義するデータ構造を含むことを特徴とする、上記ネットワーク。
【請求項６】
請求項４に記載のネットワークにおいて、上記データ構造はメディア・ゲートウェイ選択データベースを含むことを特徴とする、上記ネットワーク。
【請求項７】
請求項１に記載のネットワークにおいて、上記識別コードは回線識別コード（ＣＩＣＳ）を含むことを特徴とする、上記ネットワーク。
【請求項８】
複数のゲートウェイを有する通信ネットワークにおいて、アクセス・ノードと交換機との間の非専用回線経路を提供する方法であって、
交換機と目的アクセス・ノードとの間の回線経路を要求するステップと、
前記交換機と前記目的アクセス・ノードとの間の回線経路を選択するステップと、
前記交換機と選択されたゲートウェイとの間の回線経路を割当てるステップと、
前記選択されたゲートウェイと前記目的アクセス・ノードとの間の回線経路を割当てるステップと、その後の、
前記交換機と前記選択されたゲートウェイとの間の前記回線経路の割当てを解除するステップと、
前記選択されたゲートウェイと前記目的アクセス・ノードとの間の前記回線経路の割当てを解除するステップ、
を含む前記方法。
【請求項９】
請求項８に記載の方法において、上記選択、割当て、および割当て解除のステップは動的に実行されることを特徴とする、上記方法。
【請求項１０】
請求項８に記載の方法であってさらに、回線経路の選択、割当ておよび割当て解除のためにメディア・ゲートウェイ選択ノードを保持するステップを含むことを特徴とする、上記方法。
【請求項１１】
請求項１０に記載の方法であってさらに、上記通信ネットワークの上記交換機を含む交換機プールを保持するステップを含み、前記交換機プールは上記メディア・ゲートウェイ選択ノードに動作可能に接続することを特徴とする、上記方法。
【請求項１２】
請求項１０に記載の方法であってさらに、ゲートウェイ、アクセス・ノード、交換機、および識別コード間の関係を定義するデータ構造を保持するステップを含むことを特徴とする、上記方法。
【請求項１３】
通信ネットワークにおいて使用するための、前記ネットワーク内のアクセス・ノードと交換機プールの交換機との間の非専用回線経路を提供するためのメディア・ゲートウェイ選択ノードであって、
前記ネットワークのメディア・ゲートウェイ、アクセス・ノード、交換機および回線経路に関するデータを記憶しアクセスするための手段と、
前記メディア・ゲートウェイ、アクセス・ノード、交換機および回線経路間の関係を定義する手段と、
個々の交換機と個々のアクセス・ノードとの間での使用に必要とされるのに応じて、回線経路を予約し開放するための手段、
を含む前記メディア・ゲートウェイ選択ノード。
【請求項１４】
請求項１３に記載のメディア・ゲートウェイ選択ノードにおいて、メディア・ゲートウェイ、アクセス・ノード、交換機および回線経路に関する上記データはさらに、負荷収容容量を含むことを特徴とする、上記メディア・ゲートウェイ選択ノード。
【請求項１５】
請求項１３に記載のメディア・ゲートウェイ選択ノードにおいて、上記メディア・ゲートウェイ、アクセス・ノード、交換機および回線経路間の関係を定義する上記手段は、動的に実行するよう適合されていることを特徴とする、上記メディア・ゲートウェイ選択ノード。
【請求項１６】
請求項１３に記載のメディア・ゲートウェイ選択ノードにおいて、個々の交換機と個々のアクセス・ノードとの間での使用に必要とされるのに応じて回線経路を予約し開放するための上記手段は、動的に実行するよう適合されていることを特徴とする、上記メディア・ゲートウェイ選択ノード。
【発明の詳細な説明】
【技術分野】
【０００１】
（技術分野）
本発明は一般に通信ネットワーク、および特に、無線ネットワークにおける交換機とアクセス・ノードとの間の非専用接続に関する。特に本発明は、移動交換センタ・プールを使用する無線通信ネットワークにおける、交換機とアクセス・ノードとの間の接続を動的に割当てるためのシステムおよび方法を提供することに関する。
【背景技術】
【０００２】
（発明の背景）
無線通信サービスに対する需要が増えるにつれ、多くの無線通信システムが開発され、ローミング無線加入者の数が増加している。無線通信ネットワークにおける増加した通信量負荷を収容し分散するために実行されたいくつかの試みは、ネットワークのための移動交換センタ・プール（ＭＳＣプール）を構成するよう相互接続された複数の移動交換センタの間で、通信量負荷が分散されるよう提案する。このようなＭＳＣプールは、加入者およびネットワーク／サービス提供者の双方に対して、ネットワーク資源をより効率的に使用できるという点で、多くの利点を提供する。ＭＳＣプールの使用によって実現される利点には、負荷分割ネットワーク構成要素および容量の増加、および／あるいは個々の交換機要素の追加が費用的に高くつく領域におけるサービスがある。
【０００３】
しかし、ＭＳＣプールには周知の制限および不利益がある。１つの不利益は、例えば、基地局制御装置（ＢＳＣ）およびＭＳＣプールの個々のＭＳＣのような、ネットワークにおける多様なアクセス・ノード間の通信を提供するために、多数の専用回線が必要となることである。アクセス・ノードをＭＳＣに接続する最も明白な方法は、各ＢＳＣからプール内の各ＭＳＣに専用回線を提供することであるが、この方法は費用がかかり非効率的である。さらに、専用回線を使用すると、ネットワークに新しいノードが導入されるあるいはネットワークからノードが除去されるたびに、大幅な更新および／あるいは費用が必要となる。また、通信容量は専用回線の容量によって固定されているので、ネットワークはピーク負荷に合わせて構築しなければならず、ピーク時以外の時は未使用容量が発生する結果となる。
【０００４】
従って、ＭＳＣプールを使用する通信ネットワークのノード間の非専用アクセス接続は、多くの利点を提供する。このような非専用アクセス接続は、ネットワークの、交換機とＢＳＣのようなアクセス・ノードとの間の回線の動的割当てを可能にする。このようなネットワークにおける交換機の追加あるいは除去は、容易に実現することができ、負荷もよりよく分散される。
【発明の開示】
【課題を解決するための手段】
【０００５】
（発明の概要）
本発明は、ネットワークのアクセス・ノードと交換機との間の非専用回線経路を有する通信ネットワークを提供する。ＭＳＣプールあるいは交換機プールは、プールの個々の交換機が、通信ネットワークのサービス領域のあちこちに置かれたアクセス・ノードと通信することを可能にする。ゲートウェイは、アクセス・ノードと交換機プールとの間の複数の回線経路を通る接続を提供する。ゲートウェイ選択ノードは、交換機プールの交換機とアクセス・ノードとの間での使用に必要とされるのに応じて回線経路を予約および開放するために提供され適合される。
【０００６】
本発明はまた、複数のゲートウェイを有する通信ネットワークにおける、アクセス・ノードと交換機との間の非専用回線経路を提供する方法を提供する。本方法は、交換機と目的アクセス・ノードとの間の回線経路を選択し、このような回線経路を必要に応じて割当てるステップを含む。回線経路はその後割当てを解除され、他のアクセス・ノードが再使用できるように、再使用可能となる。
【０００７】
本発明のメディア・ゲートウェイ選択ノードは、通信ネットワークにおいて使用されるように提供される。メディア・ゲートウェイ選択ノードは、ネットワークにおける個々のアクセス・ノードと交換機プールの交換機との間の非専用回線経路を使用可能にする。メディア・ゲートウェイ選択ノードは、データを記憶しアクセスする手段、および、ネットワークのメディア・ゲートウェイ、アクセス・ノード、交換機および回線経路間の関係を定義する手段を含む。記憶されたデータと共に実行される機能は、ネットワークの個々の交換機と個々のアクセス・ノードとの間での使用に必要とされるのに応じて、回線経路を予約し開放する。
【発明の効果】
【０００８】
公有地移動ネットワーク（ＰＬＭＮ）における交換機プールの実施を単純化し改良することを含む、多くの技術的利点が、本発明によって達成される。特別な利点は、周囲のノードを変更する必要なく、および／あるいはアクセス機能専用の新しい回線を設置することなく、交換機を追加および除去することができることである。
【０００９】
付加的利点は、変化するネットワーク通信量あるいはハードウェア条件に対応するために、ネットワーク内の回線経路を動的に割当てることができることである。この分野の技術者には、以下の記述および請求項を考察するにあたり、さらなる利点が明らかとなるであろう。
（図面の簡単な説明）
本発明の上記の利点および特定の実施例は、付随する図面と関連して以下の記述を考察することにより、より明確に理解されるであろう。
複数の図面における対応する番号および記号は、他に指示がない限り、対応する部分を示す。
【発明を実施するための最良の形態】
【００１０】
（好ましい実施例の詳細な説明）
本発明の多様な実施例の実現および使用が以下に詳細に記述されるが、本発明は、多様な特定の状況において実施することができる、多くの応用可能な発明概念を提供することを理解されたい。本発明は、多様な型および多様な構成におけるＰＬＭＮ、交換機およびアクセス・ノードと共に実施することができることを理解されたい。ここに示され記述される実施例のいくつかの特徴は、本発明の原理を説明するために、単純化あるいは誇張されている。
【００１１】
ここで図１を参照すると、交換機プールを使用する最新技術によるＰＬＭＮにおける交換機とアクセス・ノード間の関係を示す、通信ネットワークの概要ブロック図が示されている。この例において、ＰＬＭＮ１０は、汎ヨーロッパ・デジタル移動通信システム（ＧＳＭ）規格に適応するよう図示されているが、開示される原理は、符号分割多元接続（ＣＤＭＡ）、広帯域ＣＤＭＡ（ＷＣＤＭＡ）、ＧＳＭ進化のための強化データ（ＥＤＧＥ）および、この分野の技術者には周知の他の無線規格のような、他の無線ネットワーク・システムに応用してもよい。
【００１２】
図１の構成要素を結ぶ実線はベアラ接続を示し、破線は信号接続を示す。ＰＬＭＮ１０は、複数の基地局制御装置（ＢＳＣ）１２（ａ．．．ｎ）を有し、これらは、例えば基地トランシーバ局１３のような他のネットワーク構成要素へのアクセス・ノードとして動作し、基地トランシーバ局１３は今度は、ネットワーク１０の個別移動端末（図示されていない）として機能する。移動交換センタ（ＭＳＣ）１４（ａ．．．ｎ）は、ＰＬＭＮ１０のための周知の交換および呼出し制御機能を提供する。また、ＭＳＣ１４（ａ．．．ｎ）は、ＭＳＣプール１９として集合的に動作し、ＭＳＣプール１９内の任意の１つのＭＳＣ１４（ａ．．．ｎ）を、この分野の技術には周知のように、呼出し制御および交換機能を提供するために有利に使用することができる。
【００１３】
図１のシステムの制限は、それぞれのＭＳＣ１４（ａ．．．ｎ）へのインタフェースを提供するために、各ＢＳＣ１２（ａ．．．ｎ）と対応するゲートウェイ要素１６（ａ）、１６（ｂ）との間に使用される専用回線接続１７である。専用回線１７を実現している物理的リンクは、個々のＢＳＣ１２（ａ．．．ｎ）および個々のＭＳＣ１４（ａ．．．ｎ）へのメディア・ゲートウェイＭＧＷ１６（ａ）、１６（ｂ）を通しての接続機構を提供する。
【００１４】
実際には、各ＭＳＣ１４（ａ．．．ｎ）は回線の複数の組を、そのそれぞれのＭＧＷ１６（ａ）あるいは１６（ｂ）において制御する。１つの組は、ネットワーク１０の各ＢＳＣ１２（ａ．．．ｎ）に対応する。各ＢＳＣは、回線識別コード（ＣＩＣ）の専用の組を有し、ＣＩＣはプール１９内のＭＳＣと通信する。各ＭＧＷ１６（ａ）、１６（ｂ）は、任意の１つのＢＳＣ（１２ａ．．．１２ｎ）からの専用回線１７が終端する終点を有する。このように、任意のＭＳＣ１４（ａ．．．ｎ）は、任意の所定の時間において任意のＢＳＣ１２（ａ．．．ｎ）と通信することができ、その反対も可能である。
【００１５】
図１に示される構成は、通信ネットワーク１０のような通信ネットワークのノード間の信頼できる接続機構を提供するが、接続１７が専用であることにより、いくつかの重大な制限が生じている。第１に、例えばＢＳＣ１２（ａ．．．ｎ）および個々のＭＳＣ１４（ａ．．．ｎ）のようなネットワーク内の多様なアクセス・ノード間の通信を提供するためには、通常多数の専用回線が必要である。従って、各ＢＳＣ１２（ａ．．．ｎ）あるいは他のアクセス・ノードから、プール内の各ＭＳＣ１４（ａ．．．ｎ）への専用回線接続１７は、費用がかかり非効率的となる。さらに、専用回線１７を使用すると、ネットワークに新しいアクセス・ノードが導入されたりネットワークからアクセス・ノードが除去されたりするたびに、大幅な更新および／あるいは費用が必要となる。例えば、１つのＭＳＣがプール１９に追加あるいはプール１９から除去されるたびに、ＣＩＣも追加あるいは除去しなければならず、ＢＳＣに変更を知らせなければならない。また、通信容量は専用回線の容量によって固定されているので、ネットワークはピーク負荷に合わせて構築しなければならず、ピーク時以外の時は未使用の容量が発生する結果となる。この方法では、ネットワーク１０は管理が難しく費用がかかることとなる。
【実施例１】
【００１６】
図２を参照すると、本発明による、専用回線１７の使用をやめ上記の問題を解決した、改良された通信ネットワーク２０のための構成のブロック図が示されている。特に、図２は、ＢＳＣ２  １２（ｂ）を通して移動端末（図示されていない）を呼び出そうとしているＭＳＣ１  １４（ａ）を示している。第１のステップとして、ＭＳＣ１  １４（ａ）はメディア・ゲートウェイ選択ノード（ＭＧＷＳＮ）２２に接触し、ＢＳＣ２  １２（ｂ）への回線接続を要求する。図示されるように、ＭＳＣ１  １４（ａ）は、ネットワーク１０の全ての他のＭＳＣＳ１４（ｂ．．．ｎ）と同様に、ＭＳＣプール２４の１要素である。ＭＳＣプール２４は、ＭＧＷＳＮ２２によって制御され、専用回線１７を必要とすることなく、ネットワーク２０の全てのＢＳＣＳ１２（ａ．．．ｎ）およびＭＳＣＳ１４（ａ．．．ｎ）の接続を容易にする。ＭＧＷＳＮ２２は、核となるネットワークにおける回線のプールおよび制御の中心的手段を提供し、ＢＳＣから各ＭＳＣへの専用回線が必要のないようにする。加えて、ＢＳＣ１２（ａ．．．ｎ）に知らせることなく、個々のＭＳＣをプール１９に追加したりプール１９から除去したりすることができる。
【００１７】
ＭＧＷＳＮ２２は、メディア・ゲートウェイ選択データベース（ＭＧＷＳＤＢ）２６を自由に使用することができ、ＢＳＣ２  １２（ｂ）とＭＳＣ１  １４（ａ）との間の使用可能な回線経路を識別するために、それを調べる。各回線経路は通常、ＭＧＷＳＤＢ２６に記憶された関連するＣＩＣを有する。ＭＧＷＳＮ２２は、固有のＣＩＣ、この例においてはＣＩＣ１５０によって識別される回線経路を選択する。ＭＧＷＳＮ２２はまた、メディア・ゲートウェイ（ＭＧＷ）２８（ｎ）、この例においてはＭＧＷ２  ２８（ｂ）を選択し、使用可能なＣＩＣ１５０を予約する。ＭＧＷＳＮ２２は、ＭＧＷの識別、この場合ＭＧＷ２  ２８（ｂ）、およびＣＩＣ１５０の識別を、要求しているＭＳＣ１  １４（ａ）に返す。この時点において、呼出しは通常の方法で終了し、ＣＩＣ１５０を使用して、ＭＳＣ１  １４（ａ）からＭＧＷ２  ２８（ｂ）そしてＢＳＣ２  １２（ｂ）への接続が成される。もちろん、大部分の場合、呼出しはさらにＢＳＣ２  １２（ｂ）より先の終点において終了し、ＭＳＣ１  １４（ａ）より先の接続を提供する。これらの終点は、無線通信ネットワーク２０の移動端末のような、あるいは、例えば公衆交換電話網（ＰＳＴＮ）のような固定ネットワークの固定端末（ＰＯＴＳ）のような、１つあるいは複数のユーザ端末に対応する。
【００１８】
従って、ＭＧＷＳＮ２２が、プール２４内のＭＳＣとＭＧＷ２８（ａ）、２８（ｂ）との間の仲介者として動作するので、任意の１つのＢＳＣ１２（ａ．．．ｎ）とプール２４内の任意の１つのＭＳＣとの間で、各任意のＢＳＣ１２（ａ．．．ｎ）と各任意のＭＳＣとの間の専用接続がなくとも、回線経路を指定し選択することができる。さらに、呼出しが開放された後、ＭＳＣ１  １４（ａ）はＭＧＷＳＮ２２に、ＭＧＷ２  ２８（ｂ）およびＣＩＣ１５０を通るＢＳＣ２  １２（ｂ）への特定の回線経路の使用が完了したことを知らせることを理解されたい。ＭＧＷＳＮ２２はそれから、ＣＩＣ１５０は再割当てのために使用可能であることを示すよう、ＭＧＷＳＤＢ２６を更新する。従って、本発明は、プール２４の任意の１つのＭＳＣと任意の１つのＢＳＣ１２（ａ．．．ｎ）との間の必要に応じて、非専用回線の動的割当てを含む。
【００１９】
この分野の技術者には、回線経路の動的割当てにより、本発明のいくつかの重要な利点が可能となることが明らかであろう。例えば、新しいＭＳＣ１４を、ネットワーク２０のどの部分も再構成する必要なく、ネットワーク２０に追加することができる。新しいＭＳＣ１４は、単にＭＧＷＳＤＢ２６に追加され、そしてネットワーク２０のＢＳＣ１２と接続するために、ＭＧＷ２８およびＣＩＣの割当てを要求することができる。加えて、本発明は、ネットワーク内の特定のノードにおけるふくそうを減少させるよう選択された経路に回線経路を割当てる、柔軟性を提供する。
【００２０】
図３は、例示的メディア・ゲートウェイ選択データベース２６の欄を示す表３１である。図３はコンピュータ読取り可能媒体を使用したＭＧＷＳＤＢ２６に記憶することができるデータの性質の図表的表現であり、特定のデータベースの正確な表現を意図するものではないことを理解されたい。この分野の技術者には、ＭＧＷＳＤＢ２６は、ＭＧＷＳＤＢ２６の機能を達成するために必要な、動作クラス、オブジェクト、機能、論理および静的データを含むことができることは明らかであろう。図３の例における表３１のデータはまた、上に図２に関して説明された本発明の例の説明に対応する。
【００２１】
一般に、ＭＧＷＳＤＢ２６は、ＭＧＷＳＮ２２による回線経路の割当てを制御するのに必要なＣＩＣデータを記憶する。メディア・ゲートウェイ（例えば、図２、ＭＧＷ  ２８（ａ）、２８（ｂ））の識別もまた、ここに記憶される。図示されるように、ＭＧＷ列３０は、ネットワークのＭＧＷの識別を記憶する。ボックス３０（ａ）は、ＭＧＷ１の識別を記憶し、ボックス３０（ｂ）および３０（ｃ）はＭＧＷ２の識別を記憶する。ＢＳＣ列３２は、ＢＳＣ１  ３２（ａ）、ＢＳＣ２  ３２（ｂ）、およびＢＳＣ３  ３２（ｃ）によって示されるような、ＢＳＣ識別（例えば、図２、ＢＳＣ１２（ａ．．．ｃ））の記録を保持する。表３１の行と列の関係、それぞれのＢＳＣＳとＭＧＷは、ＣＩＣ接続を割当てることによって互いに関連することができる。
【００２２】
図３に見られるように、表３１は、ＭＧＷ１  ３０（ａ）がＢＳＣ１  ３２(ａ)と関連付けられていることを反映している。この関係を築くにおいて、ＭＧＷＳＮ２２は列３４、つまりＣＩＣ００１−１００  ３４（ａ）からの接続を、ＢＳＣ１とＭＧＷ１との間の回線経路を完成させるのに使用可能であるよう割当てている。ＣＩＣＳの割当ておよび回線経路の完了は、必要が生じるに従い動的に実行されることが好ましい。列３６は、割当てられたＣＩＣＳのどれが使用可能であるかに関するデータを保持するために設けられる。他の列３８は、どのＣＩＣＳが任意の所定の時間において使用中であるかに関するデータを保持するために設けられる。ＭＧＷおよびＢＳＣ列３０、３２の関係によってわかるように、ＭＧＷ２  ３０（ｂ）、３０（ｃ）はＢＳＣ２  ３２（ｂ）およびＢＳＣ３  ３２（ｃ）の双方と関連していることがわかる。割当てられたＣＩＣＳは、ＣＩＣ列３４に示され、ここで、ＣＩＣ１０１−２００  ３４（ｂ）はＢＳＣ２  ３２（ｂ）に割当てられ、ＣＩＣ２０１−３００  ３２（ｃ）はＢＳＣ３  ３２（ｃ）に割当てられている。
【００２３】
図２に関して説明された例と対応するデータを概念化する１つの方法は、以下のようなものである。図２の回線経路を考察すると、図３の表３１において、ＭＧＷ２  ３０（ｂ）は、ＣＩＣ１０１−ＣＩＣ２００  ３４（ｂ）が回線経路接続に対して使用可能である状態で、ＢＳＣ２  ３２（ｂ）に割り当てられていることがわかる。割当てられた３４（ｂ）およびＣＩＣ１５０  ３８（ｂ）を含む使用可能回線経路は、この例のＭＧＷ１とＢＳＣ２との間の接続を行うために選択されている。この例の特定の回線経路のためにＣＩＣ１５０  ３８（ｂ）を使用することは、経路が割当てられている間、予約ＣＩＣ列３８に記録されている。接続がもはや要求されていない旨の指示を受取ると、ＭＧＷＳＤＢ２６は、ＣＩＣ１５０が再び使用可能であると指示するために更新され、それは３６（ｂ）に現れる。
【００２４】
図３を要約すると、表３１の行（ｂ）における対応する列項目を横に読むと、この例の回線経路は以下のように指示されている。ＭＧＷ２  ３０（ｂ）にはＣＩＣ１０１−２００  ３４（ｂ）が割当てられ、ＣＩＣ１０１−１４９およびＣＩＣ１５１−２００  ３６（ｂ）は使用可能のままである。そして、ＣＩＣ１５０  ３８（ｂ）は、ＢＳＣ２  ３２（ｂ）との接続のために予約されている。もちろん、上記はＭＧＷＳＤＢ２６内で可能な関係の図表的表現の１例に過ぎないことが理解されるであろう。本発明の概念の多くの組合せあるいは代替的図表的表現が、本発明から逸脱することなく可能である。
【００２５】
図４は、図２および図３の例に対応する、本発明の処理を示す処理流れ図である。ステップ４００において、ＭＳＣ１は、ＢＳＣ２への回線経路の必要を識別する。ステップ４０２において、メディア・ゲートウェイ選択ノードは、ＢＳＣ２への使用可能な回線経路に関して、メディア・ゲートウェイ選択データベースを検査する。メディア・ゲートウェイ選択ノードは、ＣＩＣ１５０をＢＳＣ２に割当てる（ステップ４０４）。ステップ４０６において、メディア・ゲートウェイ選択ノードはＭＧＷ２を選択する。ステップ４０８において、ＭＧＷＳＮはＭＧＷ２にＣＩＣ１５０の使用を知らせ、ステップ４１０において、ＭＧＷＳＮはＭＳＣ１にもＣＩＣ１５０を使用することを知らせる。ステップ４１２において、ＭＧＷ２は、ＣＩＣ１５０を通るＭＳＣ１とＢＳＣ２との間の回線経路を設定する。ステップ４１４において、ＭＧＷＮはＭＧＷＳＤＢ更新する。この場合、記述される処理の間、ＭＧＷ２を通りＣＩＣ１５０を使用するＭＳＣ１とＢＳＣ２との間の経路は、使用中であることを示すために“予約”あるいは他の方法で指示されていることを理解されたい。メディア・ゲートウェイ選択データベースは、回線経路の終了にあたりさらに更新される。例えば、ＢＳＣ２とＭＳＣ１との間の通信が終了すると、ＭＳＣ１はＭＧＷＳＮに呼出しが開放されたことを知らせる。呼出しのための回線経路を作成するのに使用された資源は、それから解放され、付加的回線経路の割当てに使用されるように再び使用可能となる。
【００２６】
上に図示され記述された実施例は、単なる例示である。本発明の多くの特徴および利点が、本発明の詳細と共に上記記述において説明されたとしても、本開示は単なる例示であり、本発明の原理の範囲内で、付随する請求項において使用される用語の広い一般的意味によって指示される全範囲において、変更を行うことができる。
【図面の簡単な説明】
【００２７】
【図１】交換機プールを使用する従来技術のＰＬＭＮにおける交換機とアクセス・ノードとの関係を示すブロック図である。
【図２】本発明を使用した交換機プールを有するＰＬＭＮの１例のブロック図である。
【図３】図２に従ったメディア・ゲートウェイ選択データベースの１例を示す表である。
【図４】図２および図３の本発明のステップの処理流れ図である。
【図１】
2004529598.tif 000003
【図２】
2004529598.tif 000004
【図３】
2004529598.tif 000005
【図４】
2004529598.tif 000006
【国際公開パンフレット】
2004529598.tif 000007
2004529598.tif 000008
2004529598.tif 000009
2004529598.tif 000010
2004529598.tif 000011
2004529598.tif 000012
2004529598.tif 000013
2004529598.tif 000014
2004529598.tif 000015
2004529598.tif 000016
2004529598.tif 000017
2004529598.tif 000018
2004529598.tif 000019
2004529598.tif 000020
2004529598.tif 000021
2004529598.tif 000022
【国際調査報告】
2004529598.tif 000023
2004529598.tif 000024
2004529598.tif 000025